(57)【要約】【課題】  ＰＴＣ加熱装置を提供する。【解決手段】  本考案は、複数のＰＴＣ加熱素子と、絶縁性接着剤と、一対の電極板と、電気絶縁層と、矩形アルミニウム管と、放熱板とを含む、本考案のＰＴＣ加熱装置を提供する。この矩形アルミニウム管の左外壁および右外壁は突き出た弧形状の外側面を有し、４つの凹部が、矩形アルミニウム管の上部面および下部面と突き出た弧状面との結合部に設けられている。【選択図】      図１
0003102748.tif 000002
【実用新案登録請求の範囲】
【請求項１】
複数のＰＴＣ加熱素子と、
絶縁性接着剤と、
電極板と、
電気絶縁層と、
矩形アルミニウム管と、
放熱板と、
を含み、
前記矩形アルミニウム管の左外壁および右外壁が、突き出た弧形状の外側面を有し、４つの凹部が、前記矩形アルミニウム管の上部面および下部面と前記外側面との結合部にそれぞれ設けられているＰＴＣ加熱装置。
【請求項２】
前記矩形アルミニウム管の左内壁および右内壁が、弧形状の内側面を有する請求項１に記載のＰＴＣ加熱装置。
【請求項３】
前記電極板の２つの端子が、前記矩形アルミニウム管の同一端部にある請求項１または請求項２に記載のＰＴＣ加熱装置。
【請求項４】
前記電極板の２つの端子が、それぞれ、前記矩形アルミニウム管の対向する端部にある請求項１または請求項２に記載のＰＴＣ加熱装置。
【請求項５】
前記ＰＴＣ加熱素子の一端部に設けられ、前記矩形アルミニウム管を密閉する１つのプラグをさらに含む請求項１ないし請求項４のいずれか一項に記載のＰＴＣ加熱装置。
【請求項６】
前記ＰＴＣ加熱素子の対向する端部にそれぞれ設けられた、２つのプラグをさらに含む請求項１ないし請求項４のいずれか一項に記載のＰＴＣ加熱装置。
【考案の詳細な説明】
【技術分野】
【０００１】
本考案は、温度係数が正の（以下、ＰＴＣと記す）加熱装置に関し、特に、様々な種類の電子機器の熱源として広く使用可能な管状ＰＴＣ加熱装置に関する。
【背景技術】
【０００２】
ヒータとして使用するＰＴＣ加熱装置は、当業界で周知である。このようなＰＴＣ加熱装置は、その自己温度制御機能により、一定の温度で作動するので、このようなＰＴＣ加熱装置を備えたヒータは、より安全で信頼性が高い。しかしながら、既存のＰＴＣ加熱装置は、普通のアルミニウム管を使用するだけなので、比較的柔らかく、歪み易い。その結果、その表面には、凹凸面などがあり、平らではない。そのため、この種のアルミニウム管は、損傷を受けたり、ひびが入ったりし易く、放熱効率が悪くなる。
【０００３】
それゆえ、上記の問題を克服する、改良されたＰＴＣ加熱装置が望まれている。
【考案の開示】
【考案が解決しようとする課題】
【０００４】
本考案の目的は、したがって、上記の欠点を克服する、改良されたＰＴＣ加熱装置を提供することである。
【課題を解決するための手段】
【０００５】
上記の目的を達成するために、本考案のＰＴＣ加熱装置は、複数のＰＴＣ加熱素子と、絶縁性接着剤と、電極板と、電気絶縁層と、矩形アルミニウム管と、放熱板とを含む。この矩形アルミニウム管の左外壁および右外壁は、突き出た弧状の外側面を有し、４つの凹部が、矩形アルミニウム管の上部面および下部面と突き出た弧状面との結合部に設けられている。
【０００６】
本考案の一実施形態において、矩形アルミニウム管の左内壁および右内壁は、弧状の内側面を有する。
【０００７】
電極板の２つの端子は、矩形アルミニウム管の同一端部にあるか、または対向する端部にあってもよい。
【０００８】
本考案の他の実施形態において、ＰＴＣ加熱装置は、矩形アルミニウム管を密閉する、ＰＴＣ加熱素子の１端部に設けられた１つのプラグをさらに含む。
【０００９】
ＰＴＣ加熱装置は、それぞれ、ＰＴＣ加熱素子の対向する端部に設けられた２つのプラグをさらに含んでもよい。
【００１０】
本考案のこれらや他の目的、利点および特徴は、図面を参照することによって、より完全に理解され、認識されるであろう。
【考案を実施するための最良の形態】
【００１１】
本考案を、図面を参照しながら、以下に詳細に説明する。
【００１２】
図１〜４を参照すると、本考案のＰＴＣ加熱装置には、中空の矩形アルミニウム管１が含まれている。セラミックで製造された複数のＰＴＣ加熱素子５が、アルミニウム管内の中央部に配置されている。ステンレス鋼などで製造された一対の電極板４が、加熱素子５と管１の上部内壁の間、並びに加熱素子５と管１の下部内壁の間に、それぞれ配置されている。絶縁性接着剤１１によって、電極板４を加熱素子５に接着されている。雲母などの絶縁材で製造された電気絶縁層３が、管１の上部内壁および下部内壁と電極板４との間に設けられている。十分な熱伝導性を有する２つの放熱板２が、管１の外側上部面および外側下部面９に、その厚さ方向に取付けられている。
【００１３】
本考案の好ましい一実施形態において、放熱板２は、絶縁性接着剤１１により、外側上部面および外側下部面９に取付けられている。電極板４の端子は、矩形アルミニウム管１の同一端部に配置されている。
【００１４】
図３および図４に示すように、矩形アルミニウム管１の左外壁および右外壁は、突き出た弧形状の外側面７を備えている。外側面７に対応して、管１の左内壁および右内壁も、弧状の内側面８を備えている。４つの凹部１０が、外側面７と面９との結合部に設けられ、その結果、矩形アルミニウム管１と放熱板２との接合部は平らになり、装置に圧力がかかった後でも、歪み難くなる。
【００１５】
両面絶縁層により、ＰＴＣ加熱装置の表面には電荷がなく、安全性が高まる。
【００１６】
本考案の他の実施形態において、図５を参照すると、２つのプラグ６が、それぞれ、ＰＴＣ加熱素子５の対向する端部に設けられている。２つの電極板４の端子は、それぞれ、矩形アルミニウム管１の対向する端部に存在する。他の要素は、上に示したのと同様である。
【００１７】
電極板およびＰＴＣ加熱素子が、プラグおよび絶縁層により、矩形アルミニウム管内に密閉されているので、電極板の酸化および湿気やほこりの侵入を防ぐことができ、使用期間がより長くなる。
【００１８】
上に図示し記載した、本考案を実施する特定の構造は、単に、本考案を例示するために用いられるものであり、本考案を限定するためのものではないことを、理解されたい。本考案の趣旨から逸脱しない、本考案に対するいかなる変更または変形も、添付された実用新案登録請求の範囲によって規定された本考案の範囲に包含されるべきものである。
【図面の簡単な説明】
【００１９】
【図１】本考案によるＰＴＣ加熱装置の略断面図である。
【図２】図１に示すＰＴＣ加熱装置の部分拡大略断面図である。
【図３】図１に示すＰＴＣ加熱装置の、線Ａ−Ａに沿った切欠図である。
【図４】図３に示すアルミニウム管の構造を示す。
【図５】本考案による他の実施形態におけるＰＴＣ加熱装置の構造を示す。
【符号の説明】
【００２０】
１  矩形アルミニウム管
２  放熱板
３  電気絶縁層
４  電極板
５  ＰＴＣ加熱素子
６  プラグ
７  外側面
８  内側面
９  外側上部面および外側下部面
１０  凹部
１１  絶縁性接着剤
【図１】
0003102748.tif 000003
【図２】
0003102748.tif 000004
【図３】
0003102748.tif 000005
【図４】
0003102748.tif 000006
【図５】
0003102748.tif 000007